(57)【要約】【課題】  バリア部材の開閉動作を手動で行うと不便な場合がある。【解決手段】  光軸方向に移動可能なレンズ鏡筒（３）と、光軸と直交する面内を移動して少なくともレンズ鏡筒の前面を開閉可能なバリア部材（２）と、バリア部材を駆動するバリア駆動機構（３３）とを有し、バリア部材は、レンズ鏡筒と係合し、該レンズ鏡筒の光軸方向への移動に応じて装置本体の前面と同一面内に位置する第１の位置と、該第１の位置よりも像面側又は物体側に位置する第２の位置との間で移動可能であるとともに、第２の位置にあるときに、レンズ鏡筒との係合を解除してバリア駆動機構によって駆動される。【選択図】  図１２
2005107411.tif 000002
【特許請求の範囲】
【請求項１】
光軸方向に移動可能なレンズ鏡筒と、
光軸と直交する面内を移動して少なくとも前記レンズ鏡筒の前面を開閉可能なバリア部材と、
該バリア部材を駆動するバリア駆動機構とを有し、
前記バリア部材は、前記レンズ鏡筒と係合し、該レンズ鏡筒の光軸方向への移動に応じて装置本体の前面と同一面内に位置する第１の位置と、該第１の位置よりも像面側又は物体側に位置する第２の位置との間で移動可能であるとともに、前記第２の位置にあるときに、前記レンズ鏡筒との係合を解除して前記バリア駆動機構によって駆動されることを特徴とする撮影装置。
【請求項２】
装置本体の外装を構成する外装部材を有し、
前記バリア部材が、前記外装部材の外面に沿って移動可能であることを特徴とする請求項１に記載の撮影装置。
【請求項３】
装置本体の外装を構成する外装部材を有し、
前記バリア部材が、前記外装部材の内面に沿って移動可能であることを特徴とする請求項１に記載の撮影装置。
【請求項４】
前記バリア部材は、前記第１の位置および前記第２の位置の間において、前記バリア駆動機構と連結していることを特徴とする請求項１から３のいずれか１つに記載の撮影装置。
【請求項５】
前記レンズ鏡筒は、前記バリア部材が開き状態から前記第２の位置に移動する前に、前記第２の位置に対応した位置に移動していることを特徴とする請求項１に記載の撮影装置。
【請求項６】
前記レンズ鏡筒は、前記第１の位置に対応した位置にあるときに非撮影状態となり、前記第２の位置に対応した位置にあるときに撮影状態となることを特徴とする請求項１に記載の撮影装置。
【請求項７】
前記レンズ鏡筒の前記第２の位置に対応した位置が、広角焦点距離端であることを特徴とする請求項６に記載の撮影装置。
【請求項８】
前記レンズ鏡筒は、前記第１の位置および前記第２の位置に対応した位置にあるときに、非撮影状態となることを特徴とする請求項１に記載の撮影装置。
【請求項９】
前記バリア部材が前記第１の位置にあることを検出する検出手段を有することを特徴とする請求項１に記載の撮影装置。
【請求項１０】
前記バリア部材が前記第２の位置にあることを検出する検出手段を有することを特徴とする請求項１に記載の撮影装置。
【請求項１１】
前記バリア部材が前記少なくともレンズ鏡筒の前面から退避した開き位置にあることを検出する検出手段を有することを特徴とする請求項１に記載の撮影装置。
【発明の詳細な説明】
【技術分野】
【０００１】
本発明は、少なくともレンズ鏡筒の前面を開閉可能なバリア部材を備えたデジタルカメラ又はフィルムカメラ等の撮影装置に関するものである。
【背景技術】
【０００２】
従来のバリアには、カメラの前面に配置されたすべての光学部材（例えば、レンズ鏡筒やファインダ光学系）を開閉するバリアが知られている。しかし、このバリアは、カメラの前カバー部に対してこの厚み方向（光軸方向）で突出している。また、カメラの小型化により、開き状態にある一枚のバリアがカメラの側面より横方向に突出していることがある。
【０００３】
近年、デジタルカメラやフィルムカメラ等の分野においては、撮影レンズの保護、携帯性を配慮した外形状あるいはデザイン上の要請から、レンズ鏡筒をカメラ本体内に収納（沈胴）させた後、このレンズ鏡筒の前面をスライド式バリアで覆うカメラがある。
【０００４】
ここで、上記のようなスライド式バリア機構を備えたカメラにおいては、デザイン上の観点からスライドバリアが閉じてレンズ鏡筒の前面を覆った際に、スライドバリアの外面とカメラ本体の前面とが略同一平面となることが望ましく、このように構成されたカメラが提案されている（例えば、特許文献１、２参照）
例えば、カメラ本体の前面上下部にそれぞれ、撮影レンズの光軸方向と直交する溝（直交溝）とこの直交溝に対して光軸方向に曲折した２本の溝とからなるカム溝を設け、これらの溝に沿って、スライドバリアに設けた複数のピンを移動させることでレンズ鏡筒の前面を開閉するカメラがある（特許文献１）。
【０００５】
また、撮影レンズの前面を覆う大バリアおよび小バリアを設け、小バリアを押し込むことによって小バリアおよび大バリアをカメラ前面に引き出し、カメラ前面に沿って移動させるカメラがある（特許文献２）。
【特許文献１】特開２０００−３３８５４７号公報（段落番号００３３、図４〜図７等）
【特許文献２】特開平９−１８５１０２号公報（段落番号００１３、図４、５等）
【発明の開示】
【発明が解決しようとする課題】
【０００６】
しかしながら、従来のカメラにおけるバリア機構（例えば、特許文献１）では、カメラの前面に設けられたバリアレール（直交溝やカム溝）内をバリアに設けた複数のピンが摺動しながら走行するように構成されているが、このバリアレールの基本構造により、ユーザの手動操作ではピンの走行途中に、例えば特にレールの分岐点でピンが所定の行程のレールから外れたり、別な行程のレールに誤って入り込むなどにより引っかかりが生じたりして、バリアを簡単に走行させることができないことがある。
【０００７】
このような場合は、ピンが引っかかった位置からバリアを逆方向に戻すなどして再度の順方向の走行を試みる等、操作上の不具合があり、バリアを単にバリアレールに沿って移動させるだけでは必ずしも正しいバリアの動きが再現されないという問題がある。
【０００８】
また、従来では、手動によりバリアを一旦、撮影レンズの光軸方向にカムまたはガイドにより繰り出す動作が伴うが、このカム及びガイドの構造によっては、バリアをスライドさせるときに大きな負荷がかかり、力の弱い子供やお年寄り等にとっては扱いづらいという問題がある。
【０００９】
本発明の目的は、上記従来の問題点を解消し、簡単な操作によってバリア部材をスムーズに開閉させることができ、しかも、バリアをスライドさせるときの負荷の少ない撮影装置を提供することにある。
【課題を解決するための手段】
【００１０】
本発明の撮影装置は、光軸方向に移動可能なレンズ鏡筒と、光軸と直交する面内を移動して、少なくともレンズ鏡筒の前面を開閉可能なバリア部材と、バリア部材を駆動するバリア駆動機構とを有し、バリア部材は、レンズ鏡筒と係合し、該レンズ鏡筒の光軸方向への移動に応じて装置本体の前面と同一面内に位置する第１の位置と、該第１の位置よりも像面側又は物体側に位置する第２の位置との間で移動可能であるとともに、第２の位置にあるときに、レンズ鏡筒との係合を解除してバリア駆動機構によって駆動されることを特徴とする。
【発明の効果】
【００１１】
本発明によれば、バリア駆動機構によってバリア部材を光軸と直交する面内を移動させて少なくともレンズ鏡筒の前面を開閉させるようにしている。しかも、レンズ鏡筒の光軸方向への動作を利用することで、バリア部材を装置本体の前面と同一面内に位置する第１の位置と開閉動作可能な第２の位置との間を移動させている。これにより、バリア部材の一連の動作をレンズ鏡筒の動作およびバリア駆動機構によって行うことができ、従来のように手動によってバリア部材を操作する必要がなくなり、撮影装置の操作性を向上させることができる。
【００１２】
ここで、バリア部材を第１の位置に移動させることで、バリア部材を含めた装置本体の前面が略同一の面となり、撮影装置を携帯性およびデザイン性に優れたものとすることができる。また、従来のようにバリア部材が撮影装置の前面から突出していると、この突出したバリア部材に外部からの衝撃等が加わりやすくなるが、本発明ではバリア部材の突出を抑えているため、このような問題も生じない。
【００１３】
バリア部材を、装置本体の外装を構成する外装部材の外面に沿って移動させることで、撮影装置を大型化させる必要がなくなる。一方、バリア部材を、外装部材の内面に沿って移動させれば、バリア部材が外力によって破損したりすることがなくなる。
【００１４】
バリア部材を、第１の位置および第２の位置の間において、バリア駆動機構と連結させることにより、レンズ鏡筒の動作に応じてバリア部材が光軸方向に移動したとしても、バリア機構の連動とを確保することができる。
【００１５】
バリア部材が開き状態から第２の位置に移動する前に、レンズ鏡筒を第２の位置に対応した位置まで移動させておくことで、バリア部材をレンズ鏡筒に係合させることができ、レンズ鏡筒の光軸方向への動作に伴うバリア部材の動作を確保することができる。
【００１６】
レンズ鏡筒が第１の位置に対応した位置にあるときに非撮影状態とし、第２の位置に対応した位置にあるときに撮影状態とすることで、バリア部材が第２の位置から開き方向に移動した状態で直ちに撮影を行うことが可能となる。これにより、バリアを開き動作させてから撮影可能な状態となるまでの時間を短縮することができる。具体的には、レンズ鏡筒の第２の位置に対応した位置を、広角焦点距離端とすることで、バリア部材を開き動作させた直後に広角側での撮影を直ちに行うことができる。
【００１７】
レンズ鏡筒が第１の位置および第２の位置に対応した位置にあるときに非撮影状態とすることで、例えば、バリア部材が第２の位置から開き方向に移動した直後における不用意な撮影を防止することができる。
【００１８】
バリア部材が第１の位置、第２の位置や、少なくともレンズ鏡筒の前面から退避した開き位置にあることを検出する検出手段を設けることにより、バリア部材が動作位置を確認することができ、バリア部材の動作をスムーズに行うことができる。
【発明を実施するための最良の形態】
【００１９】
以下、本発明の実施例について説明する。
【実施例１】
【００２０】
図１から図１４を用いて本発明の実施例１であるデジタルカメラ（撮像装置）について説明する。
【００２１】
ここで、図４は、バリア部材が開き状態にあるときのカメラの外観斜視図であり、図５は、バリア部材が閉じ状態にあるときのカメラの外観斜視図である。図６から図９は本実施例のカメラの上面図であり、バリア部材の開閉動作を段階的に示したものである。図１０は本実施例のカメラの底面図であり、図１１は本実施例のカメラの背面図である。
【００２２】
これらの図において、カメラ１の正面には、被写体像を観察するためのファインダ２１（最も物体側に位置するレンズ）、測光測距を行う測光測距センサ２２、赤目緩和のための光を発する赤目緩和ランプ２３、被写体に照明光を照射する照明ユニット２４、撮影レンズ４を備えた撮影レンズ鏡筒３、バリア部材２が配置されている。
【００２３】
撮影レンズ鏡筒３は、後述するように光軸方向に繰り出し繰り込み可能であって、この動作によって撮影光学系の焦点距離を変更することができる。また、バリア部材２は、撮影レンズ鏡筒３、ファインダ２１、測光測距センサ２２および赤目緩和ランプ２３の前面を覆うための部材であり、上記の部材の前面を覆う位置と上記の部材の前面から退避した位置との間で移動可能となっている。なお、バリア部材２の詳細な構造等については後述する。
【００２４】
カメラ１の背面には、操作ボタン２８、ＬＣＤで構成されるカラー液晶ディスプレイ２７、撮影光学系の焦点距離を変更するためのズームボタン２９、ファインダ光学系２１のファインダ接眼部２１ａが配置されている。
【００２５】
ここで、操作ボタン２８は、各種の情報、例えば、カメラの動作モード（静止画撮影モード、再生モードおよび動画撮影モード）や露出値を入力するために操作される。また、ディスプレイ２７は、後述するメモリ３８（図１２）に保存された画像データやカメラ１に装着されたメモリカードから読み出された撮影画像データを表示する。ここで、ディスプレイ２７は、ＥＶＦ（電子ビューファインダ）としての機能も果たす。また、操作ボタン２８の操作によってマルチ再生モードを設定した場合、ディスプレイ２７には、複数の撮影画像データが縮小された状態で表示される。
【００２６】
カメラ１の上面には、撮影準備動作（測光動作および焦点調節動作）および撮影動作（撮像素子によって撮像された画像データをメモリカードに記録）を開始させるためのレリーズボタン１８や、カメラ１の電源オン／オフを切り替えるための電源ボタン１９が配置されている。
【００２７】
カメラ１の一方の側面には、カメラ１を保持するためのストラップが取り付けられるストラップ保持部３０が設けられている。また、カメラ１の他方の側面には、外部機器（例えば、ＰＣやプリンタ）との通信を行うためのケーブル等が接続される外部出力端子取付部２０が設けられている。
【００２８】
カメラ１の底面には、カメラ１を支持するための三脚が取り付けられる三脚取り付け部２６、メモリカードやバッテリーを収納する収納室の開口部を開閉するカードバッテリーカバー２５が配置されている。
【００２９】
図１２は本実施例のカメラにおける要部構成を示した図である。同図において、図４から図１１で説明した部材と同じ部材については同一符号を付している。
【００３０】
制御回路４６は、ＣＰＵ４６ａ、ＲＯＭ４６ｂおよびＲＡＭ４６ｃを有しており、カメラ１における全体の動作を制御する。制御回路４６には、バス４２を介してカメラ１内に設けられた各種の構成要素が接続されており、これらの構成要素は制御回路４６からの制御信号を受けて動作することになる。
【００３１】
駆動回路４１は、バス４２を介して制御回路４６からの制御信号を受けることにより、照明ユニット２４、像面に入射する光量を制限するシャッタ３１、測光測距センサ２２、レンズ鏡筒３を駆動させるレンズ駆動機構３２、バリア部材２を駆動させるバリア駆動機構３３および撮像素子（ＣＣＤやＣＭＯＳイメージセンサ等）３４の駆動を制御する。なお、本実施例では、１つの駆動回路４１によって上述した部材の駆動を行うようにしているが、駆動する部材毎に駆動回路を設けるようにしてもよい。
【００３２】
ＲＯＭ４６ｂには、上述の各機能構成要素を制御するプログラムが記憶されている。ＲＡＭ４６ｃには、各制御プログラムに必要なデータが記憶されている。
【００３３】
使用者が電源ボタン１９を操作してオフ状態からオン状態に切り替えると、ＣＰＵ４６ａはＲＯＭ４６ｂから必要な制御プログラムを読み出して初期動作を開始する。つまり、後述するように駆動回路４１を介してバリア駆動機構３３を駆動することにより、バリア部材を開かせる。そして、ＣＰＵ４６ａは、駆動回路４１を介してレンズ駆動機構３２を駆動することにより、撮影レンズ鏡筒３を光軸方向に移動させて撮影スタンバイ状態とする。
【００３４】
ここで、撮影者が撮影を行うためにレリーズボタン１８を押すと、測光測距センサ２２により被写体の明るさが検知され、この結果が制御部４６に送られる。ＣＰＵ４６ａは、測光測距センサ２２の出力（測光値）に基づいて絞り値やシャッタスピードを演算するとともに、照明ユニットを駆動して照明光を照射すべきか否かを判断する。なお、あらかじめ操作ボタン２８を操作することによって、使用者は照明ユニット２４を強制的に発光させたり、発光させなかったりすることを選択することができる。
【００３５】
次に、ＣＰＵ４６ａは、駆動回路４１を介して測光測距センサ２２を駆動することにより測距動作を行わせ、この測定結果に基づいて被写体との距離を測定し、撮影レンズ鏡筒を駆動することにより所定の合焦位置へ撮影レンズを移動させる。なお、本実施例では、測距結果に基づいて撮影光学系の焦点調節動作を行っているが、撮像素子３４の出力に基づいてコントラスト検出方式による焦点調節動作を行うこともできる。
【００３６】
次に、ＣＰＵ４６ａは、駆動回路４１を介してシャッタ３１を開閉させることによって、所望の画像を撮像素子３４に取り込ませる。撮像素子３４では、露光制御値に基づいて入射した光の光量に応じた電荷が光電変換によって蓄積され、この蓄積された電荷（画像データ）がアナログ信号処理回路３５へと出力される。
【００３７】
アナログ信号処理回路３５は、入力された画像データにアナログ処理を施したのち、Ａ／Ｄ変換部３６に出力する。Ａ／Ｄ変換部３６は、入力されたアナログデータ（画像データ）をデジタルデータに変換する。このデジタルデータをデジタル信号処理回路３７に出力し、ここでデジタルデータの各種処理（例えば、色処理）を行う。
【００３８】
そして、デジタル信号処理回路３７にて画像処理されたデジタルデータ（画像データ）は、メモリ３８に記憶される。
【００３９】
メモリ３８に記憶された画像データは、操作ボタン２８の操作によって圧縮伸長回路３９によりＪＰＥＧやＴＩＦＦ等の圧縮加工等が施された後、カメラ本体１に装着されたメモリカード１００に出力されて記憶される。
【００４０】
なお、メモリ３８を持たないカメラの場合には、デジタル信号処理回路３７で処理された画像データは圧縮伸長回路３９で所定の処理が施された後、メモリーカードドライブ４０へ記憶させることになる。
【００４１】
ここで、メモリ３８に記憶された画像データやメモリーカードドライブ４０に記憶された画像データは、圧縮伸長回路３９によって伸張処理が施された後、バス４２を介してカラーディスプレイ２７に出力され、このディスプレイ２７で表示される。これにより、使用者は、メモリ３８等に記録された画像データを確認することができ、ディスプレイ２７で表示された画像データが不要である場合には、操作ボタン２８を操作することによって画像データの消去を行うことができる。
【００４２】
一方、カメラ本体１の背面に配置されたズームボタン２９を操作すると、このボタンからの信号を受けたＣＰＵ４６ａは、駆動回路４１およびレンズ駆動機構３２を介して撮影レンズ鏡筒３を光軸方向に移動させることで、撮影光学系の焦点距離を変更させる。
【００４３】
また、ズームボタン２９の操作によって、カラーディスプレイ２７上に表示されている画像データ（メモリ３８等に記録されている画像データ）の拡大又は縮小の指示を行うと、ＣＰＵ４６ａは、ズームボタン２９の指示に応じて画像データを拡大させたり、縮小させたり（いわゆるデジタルズーム）することができる。
【００４４】
次に、本実施例におけるカメラ１に備えられたバリア部材２の駆動機構について説明する。図１には、バリア部材２の駆動機構を示している。図２はバリア部材２の駆動機構の側面図であり、図３は上記の駆動機構を側面から見たときの分解図である。
【００４５】
図３に示すように、撮影レンズ鏡筒３内には、撮影レンズ４が保持されている。同図では、１つのレンズだけを示しているが、実際には複数のレンズ群が撮影レンズ鏡筒３内に配置されている。
【００４６】
図１から図３において、撮影レンズ鏡筒駆動カム５は、撮影レンズ鏡筒３と連結されており、撮影レンズ鏡筒駆動カム５が光軸周りに回転することにより、撮影レンズ鏡筒４が光軸方向に繰り出すとともに、撮影レンズ４が光軸方向に移動する。撮影レンズ鏡筒駆動カム５の外周には、カムギア５ａが一体で形成されており、このカムギア５ａは鏡筒ギア１２と噛み合っている。
【００４７】
カメラ１内には、撮影レンズ鏡筒３の駆動源としての鏡筒モータ６が配置されており、この鏡筒モータ６の動力は、鏡筒ギア７、鏡筒ギア８、鏡筒ギア９、鏡筒ギア１０、鏡筒ギア１１および鏡筒ギア１２を介して、最終的にカムギア５ａに伝達される。これにより、撮影レンズ鏡筒駆動カム５が光軸周りに回転し、撮影レンズ鏡筒３を駆動させることができる。
【００４８】
バリア部材２の裏面には、従動ラック２ｃが配置されており、撮影レンズ鏡筒３の光軸に対して直交する方向（具体的には、カメラ１の横方向）に移動できるようになっている。そして、この従動ラック２ｃは、バリアギア１７と噛み合っている。
【００４９】
バリア部材２の駆動源としてのバリアモータ１３が回転すると、バリアモータ１３の動力は、バリアギア１４、バリアギア１５、バリアギア１６、バリアギア１７を介して従動ラック２ｃに伝達され、従動ラック２ｃが光軸直交方向に移動することになる。これにより、バリア部材２が光軸直交方向に移動する。
【００５０】
ここで、撮影レンズ鏡筒３が光軸方向に移動するときの所定の範囲内おいて、従動ラック２ｃおよびバリアギア１７が互いに噛み合うようになっており、従動ラック２ｃおよびバリアギア１７が噛み合っている状態においては、バリア部材２を駆動することができる。
【００５１】
従動ラック２ｃおよびバリアギア１７が噛み合っている領域においては、バリア部材２に形成された連結部２ａ、２ｂのそれぞれが、撮影レンズ鏡筒３に形成された溝部３ａ、３ｂに係合することで、バリア部材２のガタを防ぐようになっている。また、連結部２ａ、２ｂが溝部３ａ、３ｂに係合することによって、撮影レンズ鏡筒３の光軸方向への移動に応じて、バリア部材２も光軸方向に移動できるようになっている。
【００５２】
本実施例のカメラにおいて、カメラ１の電源がオフ状態のとき、バリア部材２は、図５等に示すように、撮影レンズ鏡筒３等の前面を覆い、かつ、この外面がカメラ１の前面と略同一面内となるように位置している。
【００５３】
一方、カメラ１の電源がオン状態になると、バリア部材２はまず撮影レンズ鏡筒３の繰り出し動作に応じて光軸方向に移動し、所定量だけ光軸方向に移動すると、その後は、連結部２ａ、２ｂがカメラ１に設けられた溝部１ａ、１ｂにガイドされることによってカメラ１の前面に沿ってカメラ横方向（光軸直交方向）に移動することになる。これにより、バリア部材２が、撮影レンズ鏡筒３等の前面を開くことになる（図４等の状態）。
【００５４】
なお、本実施例では、バリア部材２に凸状の連結部２ａ、２ｂを形成し、撮影レンズ鏡筒３の外周面や、カメラ１の正面に溝部を形成しているが、バリア部材２に溝部を形成し、撮影レンズ鏡筒３やカメラ１にバリア部材の溝部と係合する凸状の連結部を形成してもよい。
【００５５】
以下、本実施例におけるバリア部材２の駆動について、図１３を用いて具体的に説明する。図１３は、カメラ１の電源をオフ状態からオン状態に切り替えることによって、バリア部材２を開かせてカメラ１を撮影スタンバイ状態とするまでのフローチャートを示す。
【００５６】
カメラ１が電源オフの状態にあるとき、撮影レンズ鏡筒３はカメラ１内に収納された状態（沈胴状態）にあり、第二のレンズ収納位置にある。また、バリア部材２は、撮影レンズ鏡筒３と連結部２ａ、２ｂを介して連結されており、第二のバリア収納位置（第二のレンズ収納位置に対応した位置）にある。このときの状態を示したのが、図５や図６である。
【００５７】
まず、使用者が電源ボタン１９を操作してカメラ１の電源をオフ状態からオン状態に切り替えると（ステップＳ１０１）、制御部４６におけるＣＰＵ４７は、駆動回路４１に制御信号を出力することにより、レンズ駆動機構３２における鏡筒モータ６を一方向に回転（ＣＷ回転）させる（ステップＳ１０２）。これにより、鏡筒モータ６の動力が、鏡筒ギア７、鏡筒ギア８、鏡筒ギア９、鏡筒ギア１０、鏡筒ギア１１、鏡筒ギア１２、撮影レンズ鏡筒駆動カム５に伝達され、最終的に撮影レンズ鏡筒３が光軸方向に繰り出す。
【００５８】
そして、鏡筒モータ６の駆動を制御することによって、撮影レンズ鏡筒３を第二のレンズ収納位置から第一のレンズ収納位置へと移動させる（ステップＳ１０３）。このとき、バリア部材２は、撮影レンズ鏡筒３に連結されているため、撮影レンズ鏡筒３の動作に連動して第二のバリア収納位置から第一のバリア収納位置（第一のレンズ収納位置に対応した位置）へ移動する。この状態を示したのが図７である。
【００５９】
ここで、バリア部材２が光軸方向に移動すると、第２バリア位置検出スイッチ４５がオフ状態からオン状態に切り替わり、この出力信号がＣＰＵ４６ａに出力される。ＣＰＵ４６ａは、第２のバリア位置検出スイッチ４５の出力信号に基づいてバリア部材２が光軸方向に移動したことを検出する（ステップＳ１０４）。
【００６０】
また、バリア部材２が第一のバリア収納位置まで移動すると、第一のバリア位置検出スイッチ４３がオフ状態からオン状態に切り替わり、このオン信号がＣＰＵ４６ａに出力される。ＣＰＵ４６ａは、第一のバリア位置検出スイッチ４３からの出力に基づいて、バリア部材２が第一のバリア収納位置まで移動したことを検出する。
【００６１】
バリア部材２が第一のバリア収納位置まで移動すると、バリア部材２の連結部２ａ、２ｂは、カメラ１の溝部１ａ、１ｂが形成された面と同じ位置まで移動することになり、連結部２ａ、２ｂは、カメラ１の溝部１ａ、１ｂに係合することができるようになる。
【００６２】
このとき、ＣＰＵ４６ａは、駆動回路４１を介してレンズ駆動機構の鏡筒モータ６の駆動を停止させる（ステップＳ１０５）。そして、ＣＰＵ４６ａは、駆動回路４１に制御信号を出力することにより、バリア駆動機構３３におけるバリアモータ１３を一方向に回転（ＣＷ回転）させる（ステップＳ１０６）。
【００６３】
ここで、バリア部材２が光軸方向に移動して第一のバリア収納位置にあるとき、バリア部材２に形成された従動ラック２ｃは、バリアギア１７と噛合っているため、バリアモータ１３の動力がバリアギア１４、バリアギア１５、バリアギア１６、バリアギア１７および従動ラック２ｃに伝達される。そして、連結部２ａ、２ｂが、撮影レンズ鏡筒３の溝部３ａ、３ｂとの連結を断ち、カメラ１の溝部１ａ、１ｂに係合することによって、バリア部材２がカメラ１の横方向にスライド移動する（ステップＳ１０７）。
【００６４】
バリア部材２がカメラ１の横方向に所定量、スライド移動して、バリア部材２が撮影レンズ鏡筒３等の前面から退避した位置（バリア開位置）まで到達すると、バリア開検出スイッチ４４がオフ状態からオン状態に切り替わり、このオン信号がＣＰＵ４６ａに出力される。ＣＰＵ４６ａは、バリア開検出スイッチ４４の出力に基づいて、バリア部材２が開位置まで移動したか否かを判別し（ステップＳ１０８）、バリア部材２がバリア開位置まで移動した場合には、駆動回路４１を介してバリア駆動機構３３のバリアモータ１３の駆動を停止させる（ステップＳ１０９）。この状態を示したのが図８である。
【００６５】
次に、ＣＰＵ４６ａは、駆動回路４１を介してレンズ駆動機構３２内の鏡筒モータ６をＣＷ回転させることにより、撮影レンズ鏡筒３を光軸方向に繰り出させて、撮影位置まで移動させる。この状態を示したのが図９であり、このときの撮影レンズ鏡筒３は、撮影待機状態にある。これにより、バリア部材２が開き状態となり、カメラ１は撮影可能な状態となる。
【００６６】
次に、使用者が電源ボタン２８を操作してカメラ１の電源をオン状態からオフ状態に切り替えたときのカメラ１の動作について図１４を用いて説明する。
【００６７】
図９に、電源がオン状態にあるときのカメラ１の状態を示す。ここで、電源ボタン２８を操作して電源をオフ状態にすると（ステップＳ２０１）、電源ボタン１９のオフ信号を受けたＣＰＵ４６ａは、駆動回路４１を介してレンズ駆動機構３２における鏡筒モータ６を他方向に回転（ＣＣＷ回転）させる（ステップＳ２０２）。
【００６８】
鏡筒モータ６の動力は、鏡筒ギア７、鏡筒ギア８、鏡筒ギア９、鏡筒ギア１０、鏡筒ギア１１および鏡筒ギア１２を介して撮影レンズ鏡筒駆動カム５に伝達され、撮影レンズ鏡筒３は光軸方向で繰り込む。
【００６９】
このとき、ＣＰＵ４６ａは、鏡筒モータ６の駆動を制御することにより、撮影レンズ鏡筒３を撮影位置から第一のレンズ収納位置まで移動させる（ステップＳ２０３）。このときの駆動は、鏡筒モータ６をステッピングモータで構成して、ステップ駆動してもよいし、検出スイッチを用いて撮影レンズ鏡筒３が第一のレンズ収納位置に移動したことを検出し、この検出結果によって鏡筒モータ６の駆動を停止させてもよい。上記の動作によって、撮影レンズ鏡筒３は、図９に示す状態から図８に示す状態となる。
【００７０】
そして、撮影レンズ鏡筒３が第一のレンズ収納位置まで移動すると、ＣＰＵ４６ａは、レンズ駆動機構３２における鏡筒モータ６の駆動を停止させる（ステップＳ２０４）。この状態を示したのが図８である。
【００７１】
このとき、撮影レンズ鏡筒３の溝部３ａ、３ｂは、カメラ１の溝部１ａ、１ｂと同一面内に位置するようになっており、カメラ１の溝部１ａ、１ｂに係合するバリア部材２の連結部２ａ、２ｂが、溝部１ａ、１ｂに沿って移動して溝部３ａ、３ｂに係合できるようになっている。
【００７２】
次に、ＣＰＵ４６ａは、駆動回路４１を介してバリア駆動機構３３におけるバリアモータ１３を他方向に回転（ＣＣＷ回転）させる（ステップＳ２０５）。このとき、バリアモータ１３の動力は、バリアギア１４、バリアギア１５、バリアギア１６、バリアギア１７、従動ラック２ｃと伝達され、バリア部材２の連結部２ａ、２ｂがカメラ１の溝部１ａ、１ｂに沿って移動するとともに、撮影レンズ鏡筒３の溝部３ａ、３ｂに係合する。これにより、バリア部材２がバリア開位置から第一バリア収納位置までスライド移動する（ステップＳ２０６）。
【００７３】
ここで、ＣＰＵ４６ａは、第一バリア位置検出スイッチ４３からの出力に基づいてバリア部材２が第一バリア収納位置まで移動したか否かを判別する（ステップＳ２０７）。そして、バリア部材２が第一バリア収納位置まで移動したことを判別すると、駆動回路４１を介してバリア駆動機構３３におけるバリアモータ１３の駆動を停止させる（ステップＳ２０８）。この状態を示したのが図７である。
【００７４】
次に、ＣＰＵ４６ａは、駆動回路４１を介して鏡筒モータ６をＣＣＷ回転させることで撮影レンズ鏡筒３を光軸方向に繰り込ませる（ステップＳ２０９）。このとき、撮影レンズ鏡筒３は、第一のレンズ収納位置から第二のレンズ収納位置まで移動することになる。同時に、バリア部材２は、連結部２ａ、２ｂを介して撮影レンズ鏡筒３と連結しているため、撮影レンズ鏡筒３の繰り込み動作に応じて第一のバリア収納位置から第二のバリア収納位置まで移動する（ステップＳ２１０）。
【００７５】
このとき、ＣＰＵ４６ａは、第二バリア位置検出スイッチ４５からの出力に基づいてバリア部材２が第二のバリア収納位置まで移動したか否かを判別し、第二バリア収納位置まで移動した場合には、鏡筒モータ６の駆動を停止させる。
【００７６】
これにより、撮影レンズ鏡筒３は沈胴状態となり、バリア部材２の前面がカメラ１の前面と同一面内となる。
【００７７】
このように本実施例のカメラによれば、電源ボタン１８を操作してカメラ１の電源をオン状態にしたり、オフ状態にしたりするだけで、鏡筒モータ６およびバリアモータ１３の駆動によって自動的にバリア部材２が開閉動作することになる。これにより、従来のように手動でバリア部材２を開閉動作させる場合に比べて、カメラの使い勝手を向上させることができる。
【００７８】
また、本実施例では、バリア部材２の連結部２ａ、２ｂはそれぞれ、撮影レンズ鏡筒３の溝部３ａ、３ｂやカメラ１の溝部１ａ、１ｂによって構成される１つの溝部内を移動するだけであるため、従来で説明したように、バリア部材に設けられたピンが異なるガイド溝にはまり込んでしまうといったことを防止することができる。
【００７９】
なお、本実施例では、撮影レンズ鏡筒３を第一のレンズ収納位置から光軸方向に繰り出して撮影状態としていたが、第一のレンズ収納位置にあるときに撮影状態とすることもできる。具体的には、第一のレンズ収納位置にあるときにワイド側での撮影を行うことができるようにしてもよい。
【００８０】
これにより、バリア部材２を開かせただけで、カメラが撮影可能な状態となり、バリアの開き動作から撮影可能な状態までの時間を短くすることができる。
【実施例２】
【００８１】
次に、本発明の実施例２であるデジタルカメラ（撮像装置）について説明する。
【００８２】
実施例１のカメラでは、バリア部材２がカメラの外観前面をスライド移動する場合について説明したが、本実施例のカメラは、バリア部材がカメラの外観前面より突出せず、カメラ内部をスライド移動するものである。
【００８３】
図１５および図１６は、バリア部材が撮影レンズ鏡筒３等の前面を覆った状態にあるときのカメラ４９の外観斜視図を示し、図１７および図１８は、バリア部材が撮影レンズ鏡筒３等の前面から退避した状態にあるときのカメラ４９の外観斜視図を示す。
【００８４】
また、図１９から図２２には、本実施例であるカメラのうちバリア部材の駆動機構を示した上面図を示す。
【００８５】
撮影レンズ鏡筒３を駆動するレンズ駆動機構の構成は、実施例１と同じであり、図１に示すように鏡筒モータ６の動力を複数の鏡筒ギアを経由して撮影レンズ鏡筒カム５に伝達させ、撮影レンズ鏡筒カム５を光軸周りに回転させることにより、撮影レンズ鏡筒３を光軸方向に移動させることができる。
【００８６】
本実施例において、バリア部材５０と撮影レンズ鏡筒３とを係合させる機構は実施例１（図２および図３）と同じ構成となっている。すなわち、バリア部材５０には連結部（実施例１における連結部２ａ、２ｂに相当する）が一体的に形成されており、この連結部が撮影レンズ鏡筒３の外周に形成された溝部３ａ、３ｂに係合するようになっている。これにより、連結部が溝部３ａ、３ｂに係合しているときには、バリア部材５０は撮影レンズ鏡筒３の光軸方向での動作に連動して光軸方向に移動することになる。
【００８７】
また、バリア部材５０をカメラ４９の横方向にスライド移動させる機構も、実施例１（図１）に示す場合と同様であり、バリア部材５０に設けられた従動ラック５０ｃにバリアモータ１３の動力が複数のバリアギア１４〜１７を介して伝達されることで、バリア部材５０がスライド動作することになる。
【００８８】
ただし、本実施例では、バリア部材５０がカメラ４９内をスライド移動するように構成されており、バリア部材５０がカメラ４９内に設けられ、カメラ４９の横方向（光軸と直交する方向）に延びるガイド溝５１に沿って移動することになる。
【００８９】
電源オフ状態にあるときのカメラ４９の状態を図１５および図１９に示す。この状態では、バリア部材５０の前面はカメラ４９の前面と略同一面内に位置しており、カメラ１の前面全体で凹凸の少ない形状になっている。
【００９０】
また、バリア部材５０は第二のバリア収納位置にあり、撮影レンズ鏡筒３は第二のレンズ収納位置にある。この状態では、バリア部材５０の連結部が撮影レンズ鏡筒３の溝部３ａ、３ｂに係合しており、バリア部材５０は撮影レンズ鏡筒３に連結された状態となっている。
【００９１】
以下、電源をオフ状態からオン状態に切り替えたときのカメラ４９の動作について図２３を用いて説明する。
【００９２】
使用者が電源ボタン１９を操作することによって、カメラ４９の電源をオフ状態からオン状態に切り替えると（ステップＳ３０１）、ＣＰＵ４６ａは、駆動回路４１を介してレンズ駆動機構３２における鏡筒モータ６をＣＣＷ回転させる（ステップＳ３０２）。これにより、撮影レンズ鏡筒３は、光軸方向に繰り込み、第二のレンズ収納位置（図１９に示す位置）から第一のレンズ収納位置へと移動する。
【００９３】
また、バリア部材５０は、この連結部を介して撮影レンズ鏡筒３に連結されているため、撮影レンズ鏡筒３の繰り込み動作に連動することで、第二のバリア収納位置（図１５に示す位置）に対して像面側の第一のバリア収納位置へと移動する（ステップＳ３０３）。
【００９４】
ＣＰＵ４６ａは、第二のバリア位置検出スイッチ４５の出力に基づいて、バリア部材５０が第二のバリア収納位置から移動したことを確認するととともに、第一のバリア位置検出スイッチ４３の出力に基づいてバリア部材５０が第一のバリア収納位置まで移動したか否かを判別する（ステップＳ３０４）。
【００９５】
ここで、実施例１では、第一のバリア位置検出スイッチ４３は、バリア部材２が第二のバリア収納位置に対して物体側の位置に移動したことを検出するためのスイッチとしていたが、本実施例では、第一のバリア位置検出スイッチ４３は、バリア部材５０が第二のバリア収納位置に対して像面側の位置に移動したことを検出するためのスイッチとなっている。
【００９６】
ＣＰＵ４６ａは、バリア部材５０が第一のバリア収納位置まで移動したことを判別すると、駆動回路４１を介してレンズ駆動機構３２における鏡筒モータ６の駆動を停止させる（ステップＳ３０５）。この状態を示したのが、図１６および図２０である。
【００９７】
このとき、バリア部材５０は、カメラ４９の前面よりも像面側に移動して、カメラ４９の前面全体が凹状となっており、また、バリア部材５０の連結部は、撮影レンズ鏡筒３の溝部３ａ、３ｂからカメラ４９内に形成されたガイド溝５１に係合できるようになっている。一方、バリア部材５０は、連結部を介して撮影レンズ鏡筒３に連結しているとともに、従動ラック５０ｃがバリア駆動機構３３のバリアギアに連結されているため、バリア部材５０はガタなく図１６に示す状態に保持される。
【００９８】
次に、ＣＰＵ４６ａは、駆動機構４１を介してバリア駆動機構３３におけるバリアモータをＣＷ回転させ、バリア部材５０のスライド移動を開始させる（ステップＳ３０６）。これにより、バリア部材５０は、第一のバリア収納位置から、撮影レンズ鏡筒３等の前面から退避した位置（バリア開位置）に移動することになる（ステップＳ３０７）。
【００９９】
ここで、ＣＰＵ４６ａは、バリア開検出スイッチ４４からの出力に基づいてバリア部材５０がバリア開位置まで移動したか否かを判断し（ステップＳ３０８）、バリア開位置まで移動した場合には、駆動回路４１を介してバリア駆動機構３３におけるバリアモータ１３の駆動を停止させる（ステップＳ３０９）。この状態を示したのが、図１７および図２１である。
【０１００】
その後、ＣＰＵ４６ａは、駆動回路４１を介してレンズ駆動機構３２における鏡筒モータ６をＣＷ回転させる（ステップＳ３１０）。これにより、撮影レンズ鏡筒３は、光軸方向に繰り出すことになる。そして、鏡筒モータ６を所定量駆動させることにより、撮影レンズ鏡筒３を第一レンズ収納位置から撮影位置まで移動させる（ステップＳ３１１）。この状態を示したのが、図１８および図２２であり、これによりカメラ４９は撮影可能な状態となる。
【０１０１】
次に、カメラ４９の電源をオン状態からオフ状態に切り替えたときのカメラ４９の動作について図２４に示すフローチャートを用いて説明する。
【０１０２】
図１８及び図２２に示す撮影状態において、使用者が電源ボタン１９を操作することによって電源をオン状態からオフ状態に切り替えると（ステップＳ４０１）、ＣＰＵ４６ａは、駆動回路４１を介してレンズ駆動機構３２における鏡筒モータ６をＣＣＷ回転させる（ステップＳ４０２）。そして、ＣＰＵ４６ａは、鏡筒モータ６の駆動制御を行うことによって、撮影レンズ鏡筒３を撮影位置から第一のレンズ収納位置まで移動させる（ステップＳ４０３）。この状態を示したのが、図１７および図２１である。
【０１０３】
撮影レンズ鏡筒３が第一のレンズ収納位置まで移動すると、ＣＰＵ４６ａは鏡筒モータ６の駆動を停止させ（ステップＳ４０４）、駆動回路４１を介してバリア駆動機構３３におけるバリアモータ１３をＣＣＷ回転させる（ステップＳ４０５）。
【０１０４】
これにより、バリア部材５０がバリア開位置から第一バリア収納位置側にスライド移動し（ステップＳ４０６）、ＣＰＵ４６ａは、第一バリア位置検出スイッチ４３からの出力に基づいてバリア部材５０が第一バリア収納位置まで移動したか否かを判断する（ステップＳ４０７）。
【０１０５】
ここで、バリア部材５０が第一バリア収納位置まで移動した場合には、バリアモータ１３の駆動を停止させる（ステップＳ４０８）。このとき、バリア部材５０の連結部は、ガイド溝５１に沿って移動して、撮影レンズ鏡筒３に形成された溝部３ａ、３ｂと係合し、バリア部材５０および撮影レンズ鏡筒３が連結されることになる。この状態を示したのが図１６および図２０である。
【０１０６】
その後、ＣＰＵ４６ａは、レンズ駆動機構３２における鏡筒モータ６をＣＷ回転させ（ステップＳ４０９）、撮影レンズ鏡筒３を光軸方向に繰り出して、第一のレンズ収納位置から第二のレンズ収納位置側へと移動させる。このとき、バリア部材５０は、撮影レンズ鏡筒３と連結されているため、撮影レンズ鏡筒３の繰り出し動作に連動してバリア部材５０も光軸方向に移動し、第一のバリア収納位置から第二のバリア収納位置側へと移動する。
【０１０７】
そして、ＣＰＵ４６ａは、第二バリア位置検出スイッチ４５からの出力に基づいてバリア部材５０が第二のバリア収納位置まで移動したか否かを判別する。ここで、第二のバリア収納位置まで移動していた場合には、鏡筒モータ６の駆動を停止させる。これにより、撮影レンズ鏡筒３は、第一のレンズ収納位置から第二のレンズ収納位置に移動することになり、バリア部材５０は、第一のバリア収納位置から第２のバリア収納位置まで移動することになる（ステップＳ４１０）。
【０１０８】
このときの状態を示したのが、図１５および図１９であり、バリア部材５０の前面は、カメラ４９の前面と略一致するようになっている。このようにバリア部材５０の前面とカメラ４９の前面とを一致させることで、カメラ４９の外観を見栄えの良いものとすることができる。また、本実施例においても、実施例１と同様の効果を得ることができる。
【０１０９】
なお、上述した各実施例ではデジタルカメラにおける実施例を示しているが、銀塩フィルムカメラ等の撮影レンズ鏡筒が駆動するものであれば、本発明を適用することができる。
【図面の簡単な説明】
【０１１０】
【図１】実施例１のカメラの構成を示す正面図である。
【図２】実施例１のカメラの構成を示す側面図である。
【図３】実施例１におけるカメラの構成を示す分解図である。
【図４】実施例１におけるカメラの撮影状態における斜視図である。
【図５】実施例１におけるカメラの電源オフ状態における斜視図である。
【図６】実施例１におけるカメラの電源オフ状態における上面図である。
【図７】実施例１におけるカメラの電源オンしたときの機構説明図である。
【図８】実施例１におけるカメラの電源オンしたときの機構説明図である。
【図９】実施例１におけるカメラの撮影状態における上面図である。
【図１０】実施例１におけるカメラの底面図である。
【図１１】実施例１におけるカメラの背面図である。
【図１２】実施例１におけるカメラの構成の要部を示すプロック図である。
【図１３】実施例１におけるカメラの電源オフから撮影状態になるまでのシーケンスを示すフローチャートである。
【図１４】実施例１におけるカメラの撮影状態から電源オフした時のシーケンスを示すフローチャートである。
【図１５】実施例２におけるカメラの電源オフ状態のときの斜視図である。
【図１６】実施例２におけるカメラの機能を示す斜視図である。
【図１７】実施例２におけるカメラの機能を示す斜視図である。
【図１８】実施例２におけるカメラの撮影状態における斜視図である。
【図１９】実施例２におけるカメラの電源オフ状態の機能図である。
【図２０】実施例２におけるカメラの機能図である。
【図２１】実施例２におけるカメラの機能図である。
【図２２】実施例２におけるカメラの撮影可能状態の機能図である。
【図２３】実施例２におけるカメラの電源オフから撮影状態になるまでのシーケンスを示すフローチャートである。
【図２４】実施例２におけるカメラの撮影状態から電源オフした時のシーケンスを示すフローチャートである。
【符号の説明】
【０１１１】
１：カメラ
１ａ、１ｂ：溝部
２：バリア部材
２ａ、２ｂ：連結部
２ｃ：従動ラック
３：撮影レンズ鏡筒
３ａ、３ｂ：溝部
４：撮影レンズ
５：撮影レンズ鏡筒駆動カム
５ａ：カムギア
６：鏡筒モータ
７〜１２：鏡筒ギア
１３：バリアモータ
１４〜１７：バリアギア
１８：レリーズボタン
１９：電源ボタン
２０：外部入出力端子取付部
２１、２１ａ：ファインダ
２２：測光測距センサ
２３：赤目ランプ
２４：照明ユニット
２５：カードバッテリーカバー
２６：三脚取り付け部
２７：カラーディスプレイ
２８：操作ボタン
２９：ズームボタン
３０：ストラップ保持部
３１：シャッタ
３２：レンズ駆動機構
３３：バリア駆動手段
３４：撮像素子
３５：アナログ信号処理回路
３６：Ａ/Ｄ変換部
３７：デジタル信号処理回路
３８：メモリ
３９：圧縮伸張回路
４０：メモリーカードドライブ
４１：駆動回路
４２：バス
４３：第一バリア位置検出スイッチ
４４：バリア開検出スイッチ
４５：第二バリア位置検出スイッチ
４６ａ：ＣＰＵ
４６ｂ：ＲＯＭ
４６ｃ：ＲＡＭ
４９：カメラ
５０：バリア部材
５１：バリア移動溝
【図１】
2005107411.tif 000003
【図２】
2005107411.tif 000004
【図３】
2005107411.tif 000005
【図４】
2005107411.tif 000006
【図５】
2005107411.tif 000007
【図６】
2005107411.tif 000008
【図７】
2005107411.tif 000009
【図８】
2005107411.tif 000010
【図９】
2005107411.tif 000011
【図１０】
2005107411.tif 000012
【図１１】
2005107411.tif 000013
【図１２】
2005107411.tif 000014
【図１３】
2005107411.tif 000015
【図１４】
2005107411.tif 000016
【図１５】
2005107411.tif 000017
【図１６】
2005107411.tif 000018
【図１７】
2005107411.tif 000019
【図１８】
2005107411.tif 000020
【図１９】
2005107411.tif 000021
【図２０】
2005107411.tif 000022
【図２１】
2005107411.tif 000023
【図２２】
2005107411.tif 000024
【図２３】
2005107411.tif 000025
【図２４】
2005107411.tif 000026